(57)【要約】【課題】受取情報の誤り検出精度を向上させる。【解決手段】サーバ２０では、ユーザ端末１０からプリント対象の画像が受信されると特定の規則に従って受取番号が生成され、受信された画像に受取番号を対応付けて画像データベースに保存される。そして、写真撮影装置３０において、操作部を介して受取番号が入力されると、当該受取番号を検証して特定の規則に従って生成されているか否かが判別される。そして、特定の規則に従っていると判別されると、その受取番号に対応する画像を問い合わせる制御情報がサーバ２０に送信される。【選択図】図１
2005134801.tif 000002
【特許請求の範囲】
【請求項１】
被写体を撮影し、その撮影画像をプリント出力する写真撮影装置において、
サーバに保存された画像のプリント写真の受け取りに必要な受取情報であって、特定の規則に従って生成された受取情報を入力するための操作手段と、
前記操作手段を介して入力された受取情報が特定の規則に従って生成されているか否かを判別する判別手段と、
前記判別手段により受取情報が特定の規則に従って生成されていると判別された場合、当該受取情報に対応する画像をサーバから取得する取得手段と、
前記取得された画像をプリント出力するプリント手段と、
を備えることを特徴とする写真撮影装置。
【請求項２】
プリント対象の画像を保存するための画像データベースを有するサーバと、被写体を撮影し、その撮影画像をプリント出力する写真撮影装置とが通信ネットワークを介して接続される写真プリントシステムにおいて、
前記サーバは、画像データベースにプリント対象の画像を保存する際に、その画像のプリント写真の受け取りに必要な受取情報を特定の規則に従って生成し、
前記写真撮影装置は、
特定の規則に従って生成された受取情報を入力するための操作手段と、
前記操作手段を介して入力された受取情報が特定の規則に従って生成されているか否かを判別する判別手段と、
前記判別手段により受取情報が特定の規則に従って生成されていると判別された場合、当該受取情報に対応する画像をサーバから取得する取得手段と、
前記取得された画像をプリント出力するプリント手段と、
を備えることを特徴とする写真プリントシステム。
【発明の詳細な説明】
【技術分野】
【０００１】
本発明は、パスポートや履歴書等に使用される証明写真や、ポートレート、記念写真等を撮影してプリント出力する写真撮影装置及び写真プリントシステムに関する。
【背景技術】
【０００２】
従来から、免許証やパスポート、履歴書等に貼付するような証明写真等を撮影するためのボックス型の写真撮影装置が開発されており、哀悼に設置されている。このような写真撮影装置では、ボックス内にユーザが入り、ガイドに従ってユーザ自らが撮影操作することにより、簡単にかつ短時間でプリント写真を得ることができる。
【０００３】
近年では、写真撮影装置に通信手段を搭載し、通信ネットワーク上のサーバに接続可能な構成としたシステムが開発されている（例えば、特許文献１参照）。このシステムでは、ユーザが、カメラ付き携帯電話で撮影された撮影画像やデジタルカメラで撮影された撮影画像の画像データをサーバに保存しておくことにより、写真撮影装置からサーバにアクセスして保存された撮影画像を取得し、プリント出力することが可能である。
【特許文献１】特開２００３−１６１９９６号公報
【発明の開示】
【発明が解決しようとする課題】
【０００４】
上記システムでは、サーバに画像を登録した際に、サーバにおいて受取番号が生成され、ユーザに通知される。ユーザがこの受取番号を写真撮影装置に入力すると、写真撮影装置では入力された受取番号を元にサーバに画像の問い合わせが行われ、サーバにおいて受取番号に応じた画像があれば、写真撮影装置において当該画像がサーバから取得されてプリント出力されることとなる。
【０００５】
しかしながら、受取番号が無作為に任意の数字で構成されていると、写真撮影装置にいたずらに数字が入力された場合、偶然にもその数字がサーバに保存されている画像の受取番号と一致する場合は、正規のユーザとは違う者であってもプリント写真を手に入れることが可能となってしまう。特に、サーバに登録されている画像が顔画像である場合は、個人情報が漏洩することとなってしまう。
【０００６】
本発明の課題は、受取番号等の受取情報の誤り検出精度を向上させることである。
【課題を解決するための手段】
【０００７】
請求項１に記載の発明は、
被写体を撮影し、その撮影画像をプリント出力する写真撮影装置において、
サーバに保存された画像のプリント写真の受け取りに必要な受取情報であって、特定の規則に従って生成された受取情報を入力するための操作手段と、
前記操作手段を介して入力された受取情報が特定の規則に従って生成されているか否かを判別する判別手段と、
前記判別手段により受取情報が特定の規則に従って生成されていると判別された場合、当該受取情報に対応する画像をサーバから取得する取得手段と、
前記取得された画像をプリント出力するプリント手段と、
を備えることを特徴とする。
【０００８】
請求項２に記載の発明は、
プリント対象の画像を保存するための画像データベースを有するサーバと、被写体を撮影し、その撮影画像をプリント出力する写真撮影装置とが通信ネットワークを介して接続される写真プリントシステムにおいて、
前記サーバは、画像データベースにプリント対象の画像を保存する際に、その画像のプリント写真の受け取りに必要な受取情報を特定の規則に従って生成し、
前記写真撮影装置は、
特定の規則に従って生成された受取情報を入力するための操作手段と、
前記操作手段を介して入力された受取情報が特定の規則に従って生成されているか否かを判別する判別手段と、
前記判別手段により受取情報が特定の規則に従って生成されていると判別された場合、当該受取情報に対応する画像をサーバから取得する取得手段と、
前記取得された画像をプリント出力するプリント手段と、
を備えることを特徴とする。
【発明の効果】
【０００９】
請求項１、２に記載の発明によれば、プリント時に写真撮影装置において入力された受取情報が特定の規則に従って生成された受取情報であるか否かを判別し、特定の規則に従って生成された受取情報であると判別された場合のみ、当該受取情報に対応する画像をサーバから取得してプリント出力するので、いたずらに受取情報を入力して不正にプリント操作されることを防止することができる。また、正規のユーザが受取情報を誤入力した場合でも、サーバに画像を問い合わせる前に写真撮影装置側で誤入力であることを判断することができ、無用な通信を回避することができる。
【発明を実施するための最良の形態】
【００１０】
本実施の形態では、サーバにおいて画像を保存する際に、当該画像のプリント写真の受け取りに必要となる受取情報として特定の規則に従った受取番号を生成し、写真撮影装置においてサーバに保存された画像をプリントする際に、入力された受取番号が特定の規則に従って生成されているか否かを判別し、特定の規則に従って生成されたと判別された場合のみ、その受取番号を元にサーバに画像の問い合わせを行う例を説明する。
【００１１】
まず、構成を説明する。
図１に、本実施の形態における写真プリントシステム１００のシステム構成を示す。
図１に示すように、写真プリントシステム１００は、ユーザ端末１０、サーバ２０、写真撮影装置３０を備えて構成され、各装置は通信ネットワークＮを介して相互に情報の送受信が可能に構成されている。なお、図１には、各装置が１台づつ接続された例を示したが、各装置の設置台数及び設置場所については特に限定しない。
【００１２】
以下、各装置について説明する。
ユーザ端末１０は、プリント対象の画像をサーバ２０に送信して画像登録を行うものであり、例えば携帯電話、ＰＤＡ等の携帯通信端末や、通信手段を備えたパーソナルコンピュータ等の情報処理装置が適用可能である。
【００１３】
ユーザ端末１０は、後述する画像登録処理において、プリント対象の画像データをサーバ２０に送信し、当該画像がサーバ２０に保存され、保存された画像のプリント写真の受け取りに必要となる受取番号がサーバ２０から送信されると、表示手段に受取番号を表示する。
【００１４】
サーバ２０は、大容量の画像データベースを備えて構成され、この画像データベースにユーザ端末１０から送信された画像データを保存する。サーバ２０は、写真プリントサービスを提供する写真プリントホームページ（以下、ＨＰという。）を提供し、後述する画像登録処理において、ユーザ端末１０から写真プリントＨＰを介してプリント対象の画像が受信されると特定の規則に従って受取番号を生成し、受信された画像に受取番号を対応付けて画像データベースに保存する。そして、受取番号の情報をユーザ端末１０に送信する。
【００１５】
また、サーバ２０は、写真撮影装置３０から受取番号を元に画像の問い合わせを受けると、当該受取番号に対応する画像を画像データベースから読み出して写真撮影装置３０に送信する。
【００１６】
次に、本発明に係る写真撮影装置３０について説明する。
図２に、写真撮影装置３０の透視図を示す。
図２に示すように、写真撮影装置１００はボックス型に形成され、その外壁には撮影された写真を取り出す取出口７１が設置され、ボックス内部（以下、撮影室という。）には被写体Ｍが座れるように椅子Ｃが回転可能に設置される。なお、椅子Ｃは回転により高さが昇降するように構成される。さらに、被写体Ｍの上方、正面、背面にはそれぞれ照明用のストロボＳが設置され、さらに被写体Ｍの正面には、操作手順やその他撮影に関するガイド映像、撮影画像等を表示する表示部４０、操作指示するための操作部６０、撮影料金を精算するためのコインメック５０が設置される。
【００１７】
図３に、写真撮影装置１００の内部構成について説明する。
図３に示すように、写真撮影装置１０は、本体部３０ａ、ストロボユニットＳＵ、デジタルカメラＣＡ、表示部４０、コインメック５０、操作部６０、プリンタ部７０、通信部８０を備えて構成される。
【００１８】
本体部３０ａは、制御部３１、Ｉ／Ｏコントロール３２、ＲＯＭ（Read Only Memory）３３、ＲＡＭ（Random Access Memory）３４、ＤＶＤ（Digital Versatile Disk-R）３５、Ｉ／Ｆ３６から構成され、Ｉ／Ｏコントロール３２を介してストロボユニットＳＵ、コインメック５０、操作部６０と接続されるとともに、Ｉ／Ｆ３６を介してプリンタ部７０に接続される。
【００１９】
制御部３１は、ＣＰＵ（Central Processing Unit）等から構成され、ＲＯＭ３３に格納されるシステムプログラムや本発明に係るプリント処理プログラム（図６参照）等の各種プログラムを読み出してＲＡＭ３４に展開し、当該プログラムに従って各部の動作を集中制御する。
【００２０】
プリント処理では、操作部６０を介して受取番号が入力されると、当該受取番号を検証して特定の規則に従って生成されているか否かを判別する。そして、特定の規則に従っていると判別すると、その受取番号に対応する画像をサーバ２０に問い合わせて、通信部８０を介して当該画像のデータを取得する。特定に規則に従っていないと判別すると、受取番号が誤っており、画像を提供できないことを通知するエラーメッセージを表示部４０に表示させる。
【００２１】
すなわち、プリント処理プログラムと制御部３１との協働により、判別手段及び取得手段を実現することができる。
【００２２】
Ｉ／Ｏコントロール３２は、本体部３０ａと、ストロボユニットＳＵ、コインメック５０、操作部６０とを接続するためのインターフェイスであり、制御部３１からの制御信号をストロボユニットＳＵ、コインメック５０に送信するとともに操作部６０からの操作信号を制御部３１に送信する。
【００２３】
ＲＯＭ３３は、システムプログラムの他、撮影処理プログラム、プリント処理プログラム等の各種プログラム及び各プログラムで処理されたデータ等を記憶する。
【００２４】
ＲＡＭ３４は、制御部３１によって実行される各種プログラム及びこれらプログラムに係るデータを一時的に記憶するワークエリアを形成する。また、ＲＡＭ３４は、デジタルカメラＣＡにより撮影された撮影画像の画像データやプリント対象の画像データを一時的に記憶するエリアを有する。
【００２５】
ＤＶＤ３５は、デジタルカメラＣＡで撮影された撮影画像の画像データ、制御部３１によって各種画像処理が施されて作成された画像の画像データ、サーバ２０から取得された画像データ等を記憶する。
【００２６】
Ｉ／Ｆ３６は、本体部３０ａと、プリンタ部７０とを接続するためのインターフェイスであり、プリント対象の出力用画像の画像データを本体部３０ａからプリンタ部７０へ送信する。
【００２７】
ストロボユニットＳＵは、制御部３１からの制御信号に従って、写真撮影装置１００の各部に設置されたストロボＳの発光タイミングや発光量を制御する。
【００２８】
デジタルカメラＣＡは、光学レンズ、ＣＣＤ（Charge Coupled Device）等の光学センサ、Ａ／Ｄ変換部等から構成される撮影手段であり、光学レンズを介して入力される被写体像を光学センサにより光電変換して画像信号を生成する。そして、Ａ／Ｄ変換部によりアナログ画像信号からデジタル画像データを得て、当該デジタル画像データを本体部３０ａに出力する。なお、デジタルカメラに替えて動画を記録可能なデジタルビデオカメラを撮影手段として適用することとしてもよい。
【００２９】
表示部４０は、ＬＣＤ（Liquid Crystal Display）等を備えて構成される表示手段であり、制御部３１からの指示に従って、撮影手順を説明するガイド画面、プリント方法を選択するためのプリントメニュー画面等の各種操作画面を表示する。
【００３０】
コインメック５０は、硬貨や紙幣の入金口、釣り銭返金口等を備えた金銭登録機であり、入金口から入金された金額の情報を制御部３１に出力する。また、制御部３１から指示された金額の硬貨又は紙幣を釣り銭返金口に排出する。
【００３１】
操作部６０は、表示部４０と一体に構成されるタッチパネルや、撮影室の内壁に設けられた選択キー、撮影キー等の各種機能キーを備えて構成される操作手段であり、押下されたキーに対応する操作信号を制御部３１に出力する。
【００３２】
プリンタ部７０は、制御部３１から入力された画像データに基づいてプリント出力を行うプリント手段である。本実施の形態では、プリンタ部７０のプリント方式として、色材を昇華、転移させて画像を形成する昇華型熱転写方式が適用されているとして説明するが、記録媒体と受像材料とを重ね合わせて熱を与えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３３】
通信部８０は、ネットワークインターフェイスカード、モデム等の通信用インターフェイスから構成される通信手段であり、通信ネットワーク上の外部機器と相互に情報の送受信を行う。例えば、他の写真撮影装置に画像データを転送してプリント出力したり、ホストサーバに画像データを転送して画像登録することが可能である。
【００３４】
次に、本実施の形態における動作を説明する。
図４は、ユーザ端末１０とサーバ２０とで実行される画像登録処理を説明するフローチャートである。この画像登録処理は、プリント対象の画像をユーザ端末１０によりサーバ２０に保存する処理である。
【００３５】
図４に示す画像登録処理では、まずユーザ端末１０により、画像の写真プリントサービスを提供する写真プリントＨＰにアクセスされる（ステップＳ１）。サーバ２０では、ユーザ端末１０から写真プリントＨＰへのアクセスが行われると、そのホームページデータがユーザ端末１０に送信され、写真プリントＨＰが提供される（ステップＳ２）。
【００３６】
写真プリントＨＰでは、プリント写真を注文するための注文画面が展開され、ユーザ端末１０では、白黒かカラーか、写真サイズ等のプリント写真のプリント条件や、プリント写真を店頭で受け取る、写真撮影装置でプリントして受け取る、自宅に郵送するといった受取方法等が選択可能に表示される。ここでは、ユーザは、ユーザ端末１０を操作してプリント写真の受取方法として、写真撮影装置におけるプリントを選択したこととする。
【００３７】
ユーザ端末１０において、プリント条件や受取方法が選択されると（ステップＳ３）、プリント対象の画像を選択するための選択画面が表示手段に表示され、プリント対象の画像の選択が行われる。そして、ユーザによりプリント対象の画像が選択されると、その画像データ及びプリント条件、受取方法等の情報がサーバ２０に送信される（ステップＳ４）。
【００３８】
サーバ２０では、ユーザ端末１０からプリント対象の画像データ及びプリント条件、受取情報等の情報が送信されると、特定の規則に従って受取番号が生成される（ステップＳ５）。
【００３９】
図５に、８桁の数字からなる受取番号の生成例を示す。
例えば、特定の規則が各数字の総和が偶数となる受取番号を生成するという規則である場合、図５（ａ）に示すような受取番号が生成される。また、特定の規則が各数字の総和の１桁目が１となる受取番号を生成するという規則である場合、図５（ｂ）に示すような受取番号が生成される。
なお、図５に示す特定の規則はその一例であり、これに限らない。また、受取番号についても数字から構成されるものに限らず、アルファベット等の文字を含んで構成されるものであってもよい。
【００４０】
受取番号が生成されると、当該受取番号と対応付けて画像データが画像データベースに保存される（ステップＳ６）。次いで、生成された受取番号の情報がサーバ２０からユーザ端末１０に送信され、画像のプリント写真と引き替えとなる受取番号が通知されると（ステップＳ７）、本処理を終了する。
【００４１】
ユーザ端末１０では、プリント写真と引き替えとなる受取番号を控えておくよう通知するメッセージとともに、サーバ２０から受信された受取番号が表示手段に表示され（ステップＳ８）、本処理を終了する。
【００４２】
ユーザは、ユーザ端末１０に表示された受取番号を控えておき、写真撮影装置３０の方へ移動する。そして、写真撮影装置３０に料金を投入後、受取番号を入力しサーバ２０に保存した画像のプリント操作を行う。
【００４３】
次に、図６を参照して、写真撮影装置３０とサーバ２０とで実行されるプリント処理について説明する。
図６に示すプリント処理では、まずコインメック５０に料金が投入されると（ステップＳ１０１）、表示部４０にプリントメニュー画面が表示される。このプリントメニュー画面では、写真撮影装置３０で撮影を行って写真をプリントする撮影メニューと、サーバ２０に登録した画像のプリントを行う登録画像プリントメニューとが選択可能に表示される。ユーザは、登録画像プリントメニューを選択して受取番号を入力する。
【００４４】
操作部６０を介して受取番号が入力されると（ステップＳ１０２）、当該入力された受取番号の検証が行われ、受取番号は特定の規則に従った番号であるか否かが判別される（ステップＳ１０４）。例えば、図５（ａ）に示したように、受取番号の全ての数字の総和が偶数になるような特定の規則が適用されている場合は、受取番号を構成する各数字の総和が求められ、総和が偶数となるか否かが検証される。
【００４５】
受取番号の検証の結果、入力された受取番号は特定の規則に従ったものではないと判別された場合（ステップＳ１０３；Ｎ）、受取番号の入力は例えば３回等、所定回数回以内か否かが判別される（ステップＳ１０４）。受取番号の入力が所定回数以内である場合は（ステップＳ１０４；Ｙ）、ステップＳ１０２の処理に戻り、受取番号の再入力が行われる。所定回数だけ受取番号の再入力を可能とすることにより、ユーザは受取番号の入力ミスを確認して再入力することができる。
【００４６】
一方、受取番号の入力が所定回数を超えている場合（ステップＳ１０４；Ｎ）、受取番号が間違っている旨を通知するエラーメッセージが表示部４０に表示される（ステップＳ１０５）。そして、ステップＳ１０１で投入された料金がコインメック５０の返金口に排出され、料金の精算が行われる（ステップＳ１１２）。料金の精算が終了すると、本処理を終了する。
【００４７】
一方、受取番号の検証の結果、入力された受取番号は特定の規則に従ったものであると判別された場合（ステップＳ１０３；Ｙ）、この受取番号に対応する画像の有無を問い合わせる制御情報が生成され、サーバ２０に送信される（ステップＳ１０６）。
【００４８】
サーバ２０では、写真撮影装置３０から画像の問い合わせの制御情報が受信されると、指定された受取番号に対応する画像が画像データベースに保存されているか否かが判別される（ステップＳ１０７）。有効期限切れ等により、受取番号に対応する画像が保存されておらず、画像を提供できない場合（ステップＳ１０７；Ｎ）、受取番号に対応する画像を提供できない旨を通知するエラー制御情報が写真撮影装置３０に送信される（ステップＳ１０８）。サーバ２０はエラー通知後、本処理を終了する。
【００４９】
一方、受取番号に対応する画像が保存されており、画像を提供できる場合（ステップＳ１０７；Ｙ）、当該画像のデータが写真撮影装置３０に送信される（ステップＳ１０９）。サーバ２０は画像を送信後、本処理を終了する。
【００５０】
写真撮影装置３０では、問い合わせの制御情報を送信後、サーバ２０からの応答が待機され、サーバ２０から受取番号に対応する画像のデータが受信されたか否かが判別される（ステップＳ１１０）。画像データが受信されず、エラー制御情報が受信された場合（ステップＳ１１０；Ｎ）、受取番号が誤入力である、或いは画像登録の有効期限切れでプリントできない旨を通知するエラーメッセージが表示部４０に表示される（ステップＳ１０５）。そして、料金がコインメック５０の返金口に返金されて料金精算が行われると（ステップＳ１１２）、本処理を終了する。
【００５１】
一方、サーバ２０から受取番号に対応する画像データが受信された場合（ステップＳ１１０；Ｙ）、当該画像データに基づいてプリンタ部７０においてプリント出力が行われる（ステップＳ１１１）。次いで、規定料金が徴収され、釣り銭が有る場合はコインメック５０の返金口に返金される等して料金精算が行われると（ステップＳ１１２）、本処理を終了する。
【００５２】
以上のように、本実施の形態によれば、プリント対象の画像をサーバ２０に登録する際に、無作為に生成された受取番号ではなく、特定の規則に従った受取番号が生成され、プリント時には写真撮影装置３０において受取番号がその特定の規則に従ったものであるか否かが判別され、特定の規則に従った受取番号であると判断されたもののみについてサーバ２０に画像の問い合わせが行われるので、いたずらに受取番号を入力して不正にプリント操作されることを防止することができる。また、正規のユーザが受取番号を誤入力した場合でも、サーバ２０に問い合わせる前に写真撮影装置３０側で誤入力であることを判断することができ、無用な通信を回避することができる。
【図面の簡単な説明】
【００５３】
【図１】写真プリントシステム１００のシステム構成を示す図である。
【図２】本実施の形態における写真撮影装置３０の透視図である。
【図３】写真撮影装置３０の内部構成を示す図である。
【図４】ユーザ端末１０とサーバ２０とで実行される画像登録処理を説明するフローチャートである。
【図５】特定の規則に従って生成される受取番号例を示す図である。
【図６】写真撮影装置３０とサーバ２０とで実行されるプリント処理を説明するフローチャートである。
【符号の説明】
【００５４】
１００    写真プリントシステム
１０    ユーザ端末
２０    サーバ
３０    写真撮影装置
３０ａ    本体部
３１    制御部
３２    Ｉ／Ｏコントロール
３３    ＲＯＭ
３４    ＲＡＭ
３５    ＤＶＤ
３６    Ｉ／Ｆ
４０    表示部
５０    コインメック
６０    操作部
７０    プリンタ部
８０    通信部
ＣＡ    デジタルカメラ
ＳＵ    ストロボユニット
Ｓ      ストロボ
【図１】
2005134801.tif 000003
【図２】
2005134801.tif 000004
【図３】
2005134801.tif 000005
【図４】
2005134801.tif 000006
【図５】
2005134801.tif 000007
【図６】
2005134801.tif 000008